【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
気体と液体とを接触させてガス吸収を行う排ガス処理装置において、
内部空間が形成された吸収塔本体と、前記内部空間の上下方向の所定領域において液体を噴霧するスプレー装置と、前記吸収塔本体に気体を導入するガス供給装置と、を備え、
前記スプレー装置は、前記内部空間の上下方向の所定領域にかけて延在する幹管と、前記幹管に連結され前記吸収塔本体の内壁に向けて伸びる枝管と、前記枝管から供給される液体を噴霧するスプレーノズルと、を含んで構成され、
前記スプレーノズルは、前記枝管の長手方向と直交し前記スプレーノズルより前記内壁寄りに位置する面より、内側に傾いて取り付けられていることを特徴とする排ガス処理装置。
【請求項２】
気体と液体とを接触させてガス吸収を行う排ガス処理装置において、
内部空間が形成された吸収塔本体と、前記内部空間の上下方向の所定領域において液体を噴霧するスプレー装置と、前記吸収塔本体に気体を導入するガス供給装置と、を備え、
前記スプレー装置は、前記内部空間の上下方向の所定領域にかけて延在する幹管と、前記幹管に連結され前記吸収塔本体の内壁に向けて伸びる枝管と、前記枝管から供給される液体を噴霧するスプレーノズルと、を含んで構成され、
前記スプレーノズルは、前記枝管の長手方向に対して前記スプレーノズルの噴射領域の中心線とのなす角が鋭角となるように取り付けられていることを特徴とする排ガス処理装置。
【請求項３】
前記スプレーノズルは、水平方向に噴射するように前記枝管に取り付けられていることを特徴とする請求項１または請求項２に記載の排ガス処理装置。
【請求項４】
前記スプレーノズルは、噴射領域に前記幹管が含まれないような取付角度を有することを特徴とする請求項１ないし請求項３のいずれか１項に記載の排ガス処理装置。
【請求項５】
前記スプレーノズルは、前記枝管の長手方向に対して前記スプレーノズルの噴射領域の中心線とのなす角が前記スプレーノズルの噴霧角度の半分であることを特徴とする請求項１ないし請求項４のいずれか１項に記載の排ガス処理装置。
【請求項６】
１本の前記枝管に、複数の前記スプレーノズルが設けられており、少なくとも１つの前記スプレーノズルの取付角度が鋭角であることを特徴とする請求項２ないし請求項５のいずれか１項に記載の排ガス処理装置。
【請求項７】
前記複数のスプレーノズルのうち、前記枝管に対して、径方向外側に設けられた前記スプレーノズルの取付角度は、径方向内側に設けられた前記スプレーノズルの取付角度よりも小さいことを特徴とする請求項６に記載の排ガス処理装置。
【請求項８】
１本の前記枝管に、複数の前記スプレーノズルが設けられており、それぞれの前記スプレーノズルの取付角度が互いに異なっていることを特徴とする請求項１ないし請求項５のいずれか１項に記載の排ガス処理装置。
【請求項９】
前記スプレーノズルは、水平面に対して上向きまたは下向きに噴射するように前記枝管に取り付けられていることを特徴とする請求項１または請求項２に記載の排ガス処理装置。
【請求項１０】
前記スプレーノズルは、空円錐ノズルであることを特徴とする請求項１ないし請求項９のいずれか１項に記載の排ガス処理装置。
【請求項１１】
前記スプレーノズルは、前記液体が流入する流入孔と、該流入孔に対して直交して連通する旋流室とを有し、前記流入孔から前記旋流室に供給された前記液体を、前記旋流室で旋回させて噴射することを特徴とする請求項１ないし請求項１０のいずれか１項に記載の排ガス処理装置。
【請求項１２】
前記ガス供給装置は、前記スプレー装置が前記液体を噴霧する領域よりも下方位置から前記吸収塔本体に前記気体を導入するように配置され、前記気体は、前記吸収塔本体の内壁面に沿うように周回しながら前記吸収塔本体内を上昇することを特徴とする請求項１ないし請求項１１のいずれか１項に記載の排ガス処理装置。
【請求項１３】
前記スプレーノズルの噴射方向が、前記周回方向の中心側に傾いていることを特徴とする請求項１２に記載の排ガス処理装置。
【請求項１４】
前記吸収塔本体は、前記スプレー装置が前記液体を噴霧する領域よりも上方位置に設けられ、前記吸収塔本体の前記内壁面から中心軸へ向けて環状に突出するとともに、前記中心軸側の先端が少なくとも下方に折り返された液返し部材をさらに備えることを特徴とする請求項１２または請求項１３に記載の排ガス処理装置。
【請求項１５】
前記液返し部材は、液溜まり部を形成するように上側に突出された液溜まり壁と、前記液溜まり部に溜まった液体を落下させる貫通孔と、を有することを特徴とする請求項１４に記載の排ガス処理装置。
【手続補正２】
【補正対象書類名】明細書
【補正対象項目名】０００８
【補正方法】変更
【補正の内容】
【０００８】
本発明は、気体と液体とを接触させてガス吸収を行う排ガス処理装置において、内部空間が形成された吸収塔本体と、前記内部空間の上下方向の所定領域において液体を噴霧するスプレー装置と、前記吸収塔本体に気体を導入するガス供給装置と、を備え、前記スプレー装置は、前記内部空間の上下方向の所定領域にかけて延在する幹管と、前記幹管に連結され前記吸収塔本体の内壁に向けて伸びる枝管と、前記枝管から供給される液体を噴霧するスプレーノズルと、を含んで構成され、前記スプレーノズルは、前記枝管の長手方向と直交し前記スプレーノズルより前記内壁寄りに位置する面より、内側に傾いて取り付けられていることを特徴とする。また、本発明は、気体と液体とを接触させてガス吸収を行う排ガス処理装置において、内部空間が形成された吸収塔本体と、前記内部空間の上下方向の所定領域において液体を噴霧するスプレー装置と、前記吸収塔本体に気体を導入するガス供給装置と、を備え、前記スプレー装置は、前記内部空間の上下方向の所定領域にかけて延在する幹管と、前記幹管に連結され前記吸収塔本体の内壁に向けて伸びる枝管と、前記枝管から供給される液体を噴霧するスプレーノズルと、を含んで構成され、前記スプレーノズルは、前記枝管の長手方向に対して前記スプレーノズルの噴射領域の中心線とのなす角が鋭角となるように取り付けられていることを特徴とする。
【手続補正３】
【補正対象書類名】明細書
【補正対象項目名】００１１
【補正方法】変更
【補正の内容】
【００１１】
上記排ガス処理装置において、前記スプレーノズルは、水平方向に噴射するように前記枝管に取り付けられているとよい。また、上記排ガス処理装置において、前記スプレーノズルは、噴射領域に前記幹管が含まれないような取付角度を有することが好ましい。
【手続補正４】
【補正対象書類名】明細書
【補正対象項目名】００１２
【補正方法】変更
【補正の内容】
【００１２】
さらに、上記排ガス処理装置において、前記スプレーノズルは、前記枝管の長手方向に対して前記スプレーノズルの噴射領域の中心線とのなす角が前記スプレーノズルの噴霧角度の半分であってもよい。また、上記排ガス処理装置において、１本の前記枝管に、複数の前記スプレーノズルが設けられており、少なくとも１つの前記スプレーノズルの取付角度が鋭角であってもよい。
【手続補正５】
【補正対象書類名】明細書
【補正対象項目名】００１３
【補正方法】変更
【補正の内容】
【００１３】
さらに、上記排ガス処理装置において、前記複数のスプレーノズルのうち、前記枝管に対して、径方向外側に設けられた前記スプレーノズルの取付角度は、径方向内側に設けられた前記スプレーノズルの取付角度よりも小さくてもよい。また、上記排ガス処理装置において、１本の前記枝管に、複数の前記スプレーノズルが設けられており、それぞれの前記スプレーノズルの取付角度が互いに異なっていてもよい。さらに、上記排ガス処理装置において、前記スプレーノズルは、水平面に対して上向きまたは下向きに噴射するように前記枝管に取り付けられていてもよい。
【手続補正６】
【補正対象書類名】明細書
【補正対象項目名】００１４
【補正方法】変更
【補正の内容】
【００１４】
さらに、上記排ガス処理装置において、前記スプレーノズルは、空円錐ノズルであってもよい。また、上記排ガス処理装置において、前記スプレーノズルは、前記液体が流入する流入孔と、該流入孔に対して直交して連通する旋流室とを有し、前記流入孔から前記旋流室に供給された前記液体を、前記旋流室で旋回させて噴射するようにしてもよい。さらに、上記排ガス処理装置において、前記ガス供給装置は、前記スプレー装置が前記液体を噴霧する領域よりも下方位置から前記吸収塔本体に前記気体を導入するように配置され、前記気体は、前記吸収塔本体の内壁面に沿うように周回しながら前記吸収塔本体内を上昇するようにしてもよい。また、上記排ガス処理装置において、前記スプレーノズルの噴射方向が、前記周回方向の中心側に傾いていてもよい。さらに、上記排ガス処理装置において、前記吸収塔本体は、前記スプレー装置が前記液体を噴霧する領域よりも上方位置に設けられ、前記吸収塔本体の前記内壁面から中心軸へ向けて環状に突出するとともに、前記中心軸側の先端が少なくとも下方に折り返された液返し部材をさらに備えるとよい。また、上記排ガス処理装置において、前記液返し部材は、液溜まり部を形成するように上側に突出された液溜まり壁と、前記液溜まり部に溜まった液体を落下させる貫通孔と、を有してもよい。